【手続補正書】
【提出日】平成28年3月23日(2016.3.23)
【手続補正１】
【補正対象書類名】明細書
【補正対象項目名】全文
【補正方法】変更
【補正の内容】
【発明の詳細な説明】
【発明の名称】事務用椅子
【技術分野】
【０００１】
本発明は、事務用椅子に係り、より具体的には、部分的に可撓性および調節機能を提供する機構を備える事務用椅子に関する。 
【背景技術】
【０００２】
事務用椅子の市場は、ただ座るだけの場所以上のものを求め続けている。今日のユーザは、美しい形状において、快適性、機能性、および高度な調節機能の全てを求めている。最近では、事務用椅子としては、周辺枠に引っ張られて取り付けられたメッシュ織物などの可撓性のあるカバーを含む背もたれを備えたが知られている。これらの構成は、長期間であっても高度な快適性を提供することができる。
【先行技術文献】
【特許文献】
【０００３】
【特許文献１】米国特許７３４７４９５号公報
【発明の概要】
【発明が解決しようとする課題】
【０００４】
ところが、従来、事務用椅子においては、周辺枠の剛性が限定される傾向にある。周辺枠は、一般的に、メッシュ織物などからなるカバーを引っ張って支持するための剛性でなくてはならず、この剛性が背もたれの可撓性を制限している。場合によっては、ユーザは、さらなる快適性および座っている間の大幅な移動に対して、背もたれにおけるある程度の横方向の可撓性を求めることがある。
【０００５】
また、事務用椅子を異なるサイズのユーザに適合させるために、座部の前縁と背もたれとの間の座部表面の深さを調節する機構を提供することも知られている。この距離は、ユーザが大腿部の下に圧力を感じる位置に大きな影響を与え、ひいては、総じて座部の快適度に影響を与える。
このような機構を実装すると、例えば、座部の前縁の伸縮により、不要に伸張されるかあるいは余分なカバーをもたらし得るという点で問題が発生し得る。
【０００６】
そこで、この発明は、ユーザの背中を快適に支持するとともに、効率的に製造することができる事務用椅子を提供することを目的とする。
【課題を解決するための手段】
【０００７】
本発明は、事務用椅子の背もたれやシート支持部を提供する。 
背もたれは、椅子枠と、椅子枠に取り付けられた一対の直立支柱とを含む。直立支柱は、椅子枠に対して横方向に可撓性がある。背もたれは、直立支柱から横方向外側に延びる複数の可撓性の支持アームを含む。支持アームは、各々が周縁を含む。支持アームは、直立支柱から第１の横方向に延びる第１組の支持アームと、直立支柱から第２の横方向に延びる第２組の支持アームとを含む。事務用椅子は、第１組の支持アームの周縁と第２組の支持アームの周縁との間で引っ張られて延びるカバーを備える。これにより、カバーの少なくとも中央部分は、支持アームから離間する。
【０００８】
一実施形態では、支持アームの周縁の各々は、支持アームをカバーに取り付けるための構造を有する取付部を含む。取付部は、面を含む。支持アームをカバーに取り付けるための構造は、取付部の面から延びる。取付部の面は、支持アームに対する角度で位置決めされる。支持アームおよび直立支柱は、同一材料から一体的に形成されてもよい。支持アームは、凸形状を有してユーザの背中の形状に適合するように湾曲していてもよい。
【０００９】
一実施形態では、背もたれは、第１部分を有するランバーサポート機構を含む。第１部分は、直立支柱と、事務用椅子に座っているユーザの背中に面するように第１部分から延びる腰パッドとの間に、取り付けられる。
【００１０】
他の実施形態では、背もたれは、位置調節可能な前縁を含むシート支持部を含む。シート支持部は、固定台と、固定台に取り付けられた座部とを含む。座部は、前部および後部を有する。座部の後部は、固定台に対して固定されるように固定台に取り付けられる。前縁を含む座部の前部は、座部の後部に対して移動可能である。背もたれは、座部の前部および座部の後部にわたって延びるカバーを備える。カバーは、座部の前部および座部の後部に取り付けられる。カバーは、座部の前部と共に移動可能である。これにより、前縁を含むカバーの一部は、座部の前部が第１の横方向に移動する場合に、座部の前部の下に少なくとも部分的に巻かれる。カバーの一部は、座部の前部が第２の横方向に移動する場合に、座部の後部から離れて延びる。
【発明の効果】
【００１１】
この発明は、ユーザの背中を快適に支持するとともに、効率的に製造することができる。 
【図面の簡単な説明】
【００１２】
【図１】図１は一実施形態による事務用椅子の斜視図である。
【図１Ａ】図１Ａは図１に示す事務用椅子の側面図である。
【図２】図２は一実施形態による事務用椅子の一部分の後方斜視図である。
【図３】図３は布製のカバーの一部分を取り除いた図２に示す事務用椅子の後方斜視図である。
【図４】図４はランバーサポートを含む事務用椅子の一部分の後方斜視図である。
【図５】図５はランバーサポート機構を含む事務用椅子の一部分を示す。
【図６Ａ】図６Ａは布製のカバーの部分が取り除かれた事務用椅子の一部分の側面図である。
【図６Ｂ】図６Ｂは図６Ａに示す事務用椅子の拡大図である。
【図６Ｃ】図６Ｃは図６Ａに示す事務用椅子の正面拡大図である。
【図７】図７は一実施形態による支持アーム端部の正面拡大図である。
【図８Ａ】図８Ａはカバーに接続された支持アームの側面拡大図である。
【図８Ｂ】図８Ｂはカバーが取り付けられていない支持アームの側面図である。
【図９】図９は一実施形態によるカバーの背面図である。
【図１０】図１０は事務用椅子の背もたれ部分の正面図である。
【図１１】図１１はカバーの部分が取り除かれた背もたれ部分の背面図である。 
【図１２】図１２は他の実施形態による椅子枠および支持アームの正面斜視図である。
【図１３Ａ】図１３Ａはカバーの部分が取り除かれた他の実施形態による背もたれ部分の背面図である。
【図１３Ｂ】図１３Ｂは図１３Ａに示す背もたれ部分の一部の斜視図である。
【図１４】図１４はカバーが取り除かれた他の実施形態による事務用椅子の正面斜視図である。
【図１５】図１５は図１４に示す事務用椅子の後方斜視図である。
【図１６】図１６は代替のシート支持部部分を含む事務用椅子の正面斜視図である。
【図１７】図１７は図１６に示す事務用椅子の後方斜視図である。
【図１８】図１８はカバーが含まれた事務用椅子の後方斜視図である。
【図１９Ａ】図１９Ａは他の実施形態によるシート支持部部分の後方斜視図である。
【図１９Ｂ】図１９Ｂはカバーが取り付けられていない事務用椅子の拡大図である。
【図２０】図２０は他の実施形態による事務用椅子の一部分の正面斜視図である。
【図２１】図２１は開位置にあるタブレットアームレストの底面図である。
【図２２】図２２は閉位置にあるタブレットアームレストの底面図である。
【図２３】図２３は拡張位置にある位置調節可能な前縁を含む事務用椅子の一実施形態の側面図である。
【図２４】図２４はシート支持部の底面図である。
【図２５】図２５はシート支持部の上面図である。
【図２６Ａ】図２６Ａは他の実施形態で縮小位置にある位置調整可能な前縁を含むシート支持部の側面図である。
【図２６Ｂ】図２６Ｂは部分的拡張位置にある前縁を含むシート支持部の側面図である。
【図２７】図２７は位置調節可能な前縁の一部分の底面斜視図である。
【発明を実施するための形態】
【００１３】
この発明は、事務用椅子において、ユーザの背中を快適に支持するとともに、効率的に製造する目的を、横方向に延びる支持アームを備える等で背もたれやシート支持部の構造を変更して実現するものである。
【実施例】
【００１４】
本発明の現在の実施形態による事務用椅子を、図１〜図２２に示し、全般的に符号１０で示す。特に、本発明に開示の事務用椅子１０の実施形態は、ユーザの背中を快適に支持するための背もたれ１２の支持構造、および、このような背もたれ１２を製造する効率的な方法、ならびにシート支持部１４の前縁を再配置するための機構を含むものである。
【００１５】
図１〜図１９Ｂは、略垂直で一対の直立支柱１８を含む背もたれ１２と、直立支柱１８から外側に延びる複数の支持アーム２１とを含む事務用椅子１０の一態様を示している。
図１〜図１Ａは、事務用椅子１０の完成版の図を示している。事務用椅子１０は、一般的に、椅子枠２０と、背もたれ１２と、シート支持部１５と、椅子枠２０から延びるアームレストアセンブリ２２とを含む。椅子枠２０は、直立支持部材１９および複数の外側に延びる脚部２８を含んでもよい。
一実施形態では、カバー４２は、布製（布材料）から形成されてもよく、背もたれ１２の部分に延びてもよい。カバー４２は、発泡クッション（図示せず）などのクッションを含んでもよく、あるいは、クッション用のカバーを形成してもよい。
【００１６】
図２〜図４は、背もたれ１２の背面図を示している。図示の通り、背もたれ１２は、一般的に、椅子枠２０に取り付けられた略水平の下部横材２６によって接続される一対の直立支柱１８と、略水平の上部横材３１とを含む。直立支柱１８は、互いに略平行に延びてもよく、あるいは、事務用椅子１０の上縁に近づくにつれてわずかに収束または分岐してもよい。直立支柱１８は、例えば、鋼（または他の金属、あるいは射出成形プラスチックなどのプラスチック）など、様々な材料から形成されてもよい。以下により詳細に説明するように、直立支柱１８から延びる支持アーム２１は、単一片の成形プラスチックから一体的に形成されてもよい。直立支柱１８は、背もたれ１２に支持を提供するだけでなく、背もたれ１２にある程度の横方向の可撓性を提供してもよい。例えば、直立支柱１８は、ある程度の弾力性を有してもよく、これにより、ユーザが前後に動いたときに背もたれ１２をユーザとともに移動させることを可能にするユーザの背中の力によって、左右にわずかに曲がることが可能になる。
【００１７】
図３は、直立支柱１８から延びる支持アーム２１を露出させるために、布製のカバー４２の後部が取り除かれた事務用椅子１０の背面図を示している。図示の実施形態の全体を通して、支持アーム２１は、直立支柱１８から外側に、直立支柱１８と略直交する方向に延びるが、それ以外の場合は、直立支柱１８とは異なる角度で延びてもよい。各支持アーム２１は、周縁２３を含む。より具体的には、図３に示す実施形態では、一連の離間した支持アーム２１は、直立支柱１８の各々から外側に延びる。各支持アーム２１は、所望の支持特性に応じて、所望の通り成形してもよい。より長く狭いアームは、より可撓性があり、背もたれ１２に対してより一層の浮遊感覚をもたらす一方で、より厚く短いアームは、より剛性がある。図示の実施形態では、各支持アーム２１の幅は、遠位縁２３に接近しながら次第に収束する。図３に示すように、プレート状の脚部２８は、上部横材３１から延びる。複数の支持アーム２１は、脚部２８から外側に延びる。支持アーム２１は、ユーザの背中の一部分を包み込むように凸形状に湾曲して快適性および支持を提供してもよい。さらに、支持アーム２１は、ある程度の弾力性を備えてもよく、これにより、各個別の支持アーム２１は、ユーザから力を受ける際に曲がることが可能になる。支持アーム２１は、各々が、一般的に直立支柱１８から延びる横方向の長さを画定し、それにより、各個別の支持アーム２１は、その他の支持アーム２１とは関係なく曲がることができる。
【００１８】
図４、図５は、直立支柱１８の間に嵌合する任意のランバーサポート機構６２を含む事務用椅子１０の型を示している。
一実施形態では、ランバーサポート機構６２は、ランバーサポート機構６２を直立支柱１８の間で上下に滑らせることで、垂直方向に調節可能である。様々なランバーサポート機構を使用してもよいが、図示の実施形態は、発明の名称が「Ｃｈａｉｒ  Ｂａｃｋ  ｗｉｔｈ  Ｌｕｍｂａｒ  ａｎｄ  Ｐｅｌｖｉｃ  Ｓｕｐｐｏｒｔｓ」である米国特許第７，３４７，４９５号に図示および記載されているランバーサポート機構を含み、この内容は、参照により本明細書に組み込まれる。つまり、ランバーサポート機構６２は、支持アーム６３と、支持アーム６３に取り付けられた腰パッド６５とを含む。腰パッド６５は、事務用椅子１０に座ったときのユーザの下背部に面している。腰パッド６５は、ユーザの下背部の腰部を支持する一連の同心円で可撓性のある支持リング６７を含んでもよい。
【００１９】
支持アーム２１の周縁２３は、布製のカバー４２に取り付けられ、支持アーム２１の前面４９上に引っ張られて取り付けられてもよい。カバー４２は、その張力が支持アーム２１でいくつかの湾曲を引き起こすことがあるが、図示の通り、ユーザの背中の輪郭に成形するように、所定通りに支持アーム２１をあらかじめ湾曲させてもよい。
一実施形態では、各支持アーム２１の周縁２３は、カバー４２に取り付けられた周辺枠２７を通してカバー４２に接続される。 
【００２０】
支持アーム２１の周縁２３は、多数の方法でカバー４２に取り付けることも可能である。 
図６〜図１１は、周辺枠２７を介したカバー４２の支持アーム２１への取り付けの一実施形態について、より詳細に示している。図示のように、周辺枠２７は、概して可撓性のあるプラスチック片であってもよく、例えば、周辺枠２７をカバー４２に縫い付けることでカバー４２に取り付けられてもよい。図示の通り、周辺枠２７は、カバー４２の全周にわたって延びる。図６Ｃに示すように、周辺枠（ストリップ）２７は、ファスナ５２を支持アーム２１の周縁２３上に取り付けるための一体型ファスナ５３を含んでもよい。図示の実施形態では、ストリップ／周辺枠２７上のファスナ５３は、周辺枠２７に取り付けられた材料のループである。支持アーム２１上のファスナ５２は、ループ状のファスナ５３を介して延びる支持アーム２１から延び、突起またはねじ頭などの突出部である。この取り付け方法は、支持アーム２１と周辺枠２７との間にある程度の可撓性を提供し、周辺枠２７およびカバー４２に対して、さらに独立した動作をもたらし、かつ、各個別の支持アーム２１を曲げる。この実施形態では、また、支持アーム２１は、支持アーム２１の周縁２３に取り付けられた角度ブロック６０を含んでもよい。支持アーム２１上のファスナ５２は、角度ブロック６０から延びてもよい。角度ブロック６０は、支持アーム２１の端部２３およびファスナ５２を湾曲の方向とは概して逆の方向へ角度付けることで、湾曲した支持アーム２１に「反曲」の効果をもたらす。ファスナ５２が延びる面２３は、こうして、支持アーム２１の長手方向からの角度で配向される。支持アーム２１の端部の反曲は、ユーザの背中に対してカバー（布材料）４２を配向して、ユーザが寄りかかるための平面を提供するのに役立ち、さらに、吊るしたカバー４２にいくつかのプレテンションを加える。支持アーム２１における反曲の量は、カバー４２における張力を制御するように調節されてもよい。
【００２１】
図９は、例えば、支持アーム２１の周縁２３から内側に、周辺枠２７をカバー４２に縫い付けることで、周辺枠２７が広がってカバー４２に取り付けられる実施形態（ＸとＹとの範囲）を示している。この構造は、腰部に張力を増加して加えることができ、ユーザのための付加的支持を腰部３９にもたらす。
【００２２】
図９は、また、別の方法で（Ｘ’とＹ’との範囲）、支持アーム２１に取り付けられるカバー４２の部分を示している。図９のＸ’とＹ’との範囲では、例えば、カバー４２に縫い付けることで、複数の離間したＪ字状のクリップ４９がカバー４２に取り付けられている。Ｊ字状のクリップ４９は、支持アーム２１の周縁２３または側縁に掛止して、カバー４２のこれらの部分を支持アーム２１に取り付けてもよい。図示の実施形態では、Ｊ字状のクリップ４９は、カバー４２の上縁にわたって離間しており、支持アーム２１の両側のカバー４２の対向する下隅部を横断する。他の実施形態では、Ｊ字状のクリップ４９は、また、その他の場所で利用されてもよい。
【００２３】
図１２は、支持アーム２１に反曲を提供する代替的な実施形態を示している。ここで、周端２３は、湾曲部分６１を含む。この湾曲部分６１は、支持アーム２１の湾曲と概して対向する方向に湾曲するように形成される。上述のように、支持アーム２１の端部の反曲は、ユーザの背中に対してカバー４２を配向して、ユーザが寄りかかるための平面を提供するのに役立ち、さらに、吊るしたカバー４２にいくつかのプレテンションを加える。支持アーム２１における反曲の量は、カバー４２における張力を制御するように調節されてもよい。
【００２４】
図１３Ａ、図１３Ｂは、支持アーム２１が、ファスナ７１とともに支柱１８に取り付けられる代替的な実施形態を示している。
図１３Ａ、図１３Ｂに示すように、周辺枠２７は切り出し部５６を配置して含み、これにより、切り出し部５６の位置で、支持アーム２１の周縁２３をカバー４２に取り付けることができる。周辺枠２７は、支持アーム２１の周縁２３上にループ状ファスナ７５を取り付けるための一体型ファスナ７３を含んでもよい。上述の実施形態の代替的な実施形態では、周辺枠２７上の一体型ファスナ７３は、周辺枠２７に取り付けられた突出部である。支持アーム２１上のループ状ファスナ７５は、支持アーム２１から延びる材料のループである。上記の実施形態と同様に、この取り付け方法は、支持アーム２１と周辺枠２７との間にある程度の可撓性を提供し、周辺枠２７およびカバー４２に対して、さらに独立した動作をもたらし、かつ、各個別の支持アーム２１を曲げる。この実施形態では、また、支持アーム２１は、支持アーム２１の周縁２３に取り付けられた角度ブロック６０を含んでもよい。支持アーム２１上のループ状ファスナ７５は、角度ブロック６０から延びてもよい。
【００２５】
図１４〜図１８は、代替的な実施形態を示している。 
この実施形態では、直立支柱１８は一連のウェブ３０によって互いに接続されている。  図１４、図１５に示す実施形態は、３組の支持アーム２１を含む。３つの支持アーム２１ａは、直立支柱１８から一方向に延びる。３つの支持アーム２１ｂは、支持アーム２１ａと整列して反対方向に延びる。それぞれ対応する一対の支持アーム２１ａおよび２１ｂの周縁２３は、横材３８によって連結されている。図示の通り、横材３８は、支持アーム２１の周縁２３の間で引っ張られて接続され、支持アーム２３に湾曲をもたらす。支持アーム２１は、事務用椅子１０の上縁４０に接近しながら次第に短くなってもよい。支持アーム２１、横材３８および直立支柱１８は、カバー４２で覆われてもよい。
【００２６】
この実施形態では、ある程度の調節機能も背もたれ１２に提供される。 
図示の通り、一対のスライド２９は、それぞれ整列した組の支持アーム２１ａおよび２１ｂの後方に位置決めされ、支持アーム２１の可撓性の量を制御するように横方向（直立支柱１８または側縁２３に向かって）に調節されてもよい。
【００２７】
図１８は、図１４〜図１８の実施形態を示している。ここで、カバー４２は、支持アーム２１および横材３８にわたって取り付けられている。カバー４２は、一連のストラップ４３を介して取り付けられる。このストラップ４３は、支持アーム２１の背面４８を横断して、カバー４２の第１縁部４４とカバー４２の第２縁部４６との間に延びる。ストラップ４３は、支持アーム２１の周縁２３の間に延びるときに、カバー４２を引っ張って保持するように引き締められてもよい。
【００２８】
図１９Ａ、図１９Ｂは、背もたれ１２の別の型を示している。 
この実施形態では、支持アーム２１は、背もたれ１２の周縁８２内へ延びる切り欠き部８０によって形成される。切り欠き部８０は、周縁８２から直立支柱１８へ部分的にのみ延び、こうして、支持アーム２１の可撓性の度合いを低下させる。
この実施形態では、また、Ｊ字状のクリップ４９は、カバー４２の全周の周りに延び、カバー４２を背もたれ１２に取り付けるための唯一の方法である。
【００２９】
追加的な事務用椅子の実施形態を、図２０〜図２２に示す。この実施形態では、事務用椅子１０は、タブレットコンピュータ３０２などの装置を支持する作業面３００を含む。
図示の通り、作業面３００の部分３０４は、作業面の他の部分３０６に対して下方へ折り曲がることが可能である。図２１、図２２は、作業面３００および３００’のための２つの異なる設計の底面を示している。図２１は、平坦位置における設計の両方を示している。図２２は、折り曲がり位置における設計の両方を示している。設計３００は、作業面３００を平坦位置に係止するための可動部を含むヒンジ３１０を示している。設計３００’は、平坦位置と折り曲がり位置との間で曲がることができる可撓性部材３１２を示している。
【００３０】
図２３〜図２７は、事務用椅子１０の前縁１００を再配置する実施形態を示している。 
椅子１０または任意の事務用椅子１０は、ユーザの体重を支持する椅子枠２０に取り付けられたシート支持部１４を含んでもよい。事務用椅子１０は、シート支持部１５の後縁１５に隣接して位置決めされる背もたれ１２を含む。シート支持部１５は、こうして後縁１５と前縁１６との間の長さを画定する。この距離は、全てのユーザに適していなくてもよい。例えば、背の高いユーザは、この距離が短すぎると感じることもある。これにより、背の高いユーザは、大腿部の下に十分な支持が得られない。背の低いユーザは、この距離が大き過ぎると感じることがある。背の低いユーザは、前縁１６がユーザの大腿部の下に極端に延び、ユーザの膝およびふくらはぎの背面に食い込むと感じることがある。
図２３〜図２７に開示の実施形態は、前縁１６を含むシート支持部１４を提供し、この前縁１６は、各個別のユーザのための快適性および支持の段階を最適化するようにユーザによって位置調節可能である。
【００３１】
図２３〜図２５は、このような最初の実施形態を示している。 
この実施形態では、シート支持部１４は、固定台１０４と、座部の後部１０６と、座部の前部１０８と、カバー１１０とを含む。 
固定台１０４は、椅子枠２０上で支持され、椅子枠２０に対して固定される。図２５に示すように、固定台１０４は、座部の後部１０６用の取付構造を含む上面１１２を含む。固定台１０４の下面は、従来の椅子枠１２０に取り付けられてもよい。図２３〜図２５に示す実施形態では、固定台１０４は、中央開口部１１６を画成する中央環状構造１１４を含む。４つの弾性ボス１２０は、座部の後部１０６への取り付けのために中央開口部１１６周りに間隔を置いて配置される。加えて、一対のウイング部１２２は、中央環状構造１１４の両側から延びている。ウイング部１２２は、座部の後部１０６および座部の前部１０８に接触または隣接して延びるようにわずかに上方へ湾曲してもよい。
【００３２】
座部の前部１０８および座部の後部１０６は、固定台１０４の上に取り付けられる。 
図２４に示すように、座部の後部１０６は、椅子枠２０に取り付けられる場合にユーザに面する上面１２４と、固定台１０４へ取り付けるための下面１２６とを含む。
一実施形態では、下面１２６は、背もたれ１２に隣接して位置決めするための後縁１２８と、後縁１２８と対向する前縁１３０とを含む。前縁１３０は、前縁１３０内へ延びる少なくとも１つの切り出し部１３２を画成する。図示の実施形態では、４つの切り出し部１３２が前縁１３０内に画成される。切り出し部１３２と同一の形状の３つの突出部１３３は、切り出し部１３２の間に形成される。一対の取付レール１３４は、切り出し部１３２の間の下面１２６に取り付けられる。これにより、取付レール１３４は、前縁１３０まで延びる。取付レール１３４は、弾性ボス１２０から延びるファスナを固定台１０４で受けて、座部の後部１０６を固定台１０４に取り付けるファスナ穴１３６を含む。座部の後部１０６は、固定台１０４に対して固定される。
一実施形態では、取付レール１３４は、概して剛性の材料から作られる。スライドプレート１３８は、切り出し部１３２の各々の下に延びるように下面１０６に取り付けられる。スライドプレート１３８は、各々が、スライドプレート１３８を通って延びるトラック１４０を画成してもよい。
【００３３】
座部の前部１０８は、座部の前部１０８が座部の後部１０６に対して移動することができる方法で座部の後部１０６に取り付けられる。
図２４に示すように、座部の前部１０８は、弾性プラスチック材料から作られてもよく、事務用椅子１０の前縁１６および前縁１６と対向する後縁１４２を形成する前縁１４０を含んでもよい。図示の通り、後縁１４２は、座部の後部１０６上の切り出し部１３２と同一の形状を有する一連の４つの突出部１４４を含む。一連の３つの切り出し部１４５は、突出部１４４の間に形成される。これにより、座部の前部１０８の後縁１４２は、座部の後部１０６上の切り出し部１３２内へ延びる座部の前部１０８の突出部１４４とともに、座部の後部１０６の前縁１３０と嵌合することができる。かつ、座部の後部１０６の突出部１３３は、座部の前部１０８上の切り出し部１４５と嵌合することができる。切り出し部１３２および１４４の深さ、および突出部１３３および１４５のそれぞれの長さは、座部の後部１０６に対する座部の前部１０８の移動距離を画定する。図示の実施形態では、座部の前部１０８は、スライドプレート１３８内のトラック１４０へ延びるように成形されたガイドブロック１４６を含む。トラック１４０は、トラック１４０内のガイドブロック１４６のスライド移動を可能にするように、ガイドブロックを囲むか、あるいは部分的に囲んでもよい。加えて、座部の前部１０８は、レール１４８を含んでもよい。このレール１４８は、座部の前部１０８に取り付けられ、かつ座部の後部１０６の取付レール１３４に隣接して後縁１４２から延びる。
レール１４８および取付レール１３４は、各々が、自身の隣接面上に互いに嵌合する構造を含んでもよい。例えば、レール１４８および取付レール１３４のうちの一方は、チャネル１５０を含んでもよい。レール１４８および取付レール１３４の他方は、チャネル１５０内へ延びて座部の後部１０６に対する座部の前部１０８の移動を容易にするローラまたは軸受１４９を含んでもよい。加えて、板ばねなどの１つ以上のアシストばね１４７は、座部の前部１０８に取り付けられてもよい。このアシストばね１４７は、座部の前部１０８が下方へ曲がるか、あるいは、下方へ巻くことを可能にするが、座部の前部１０８を図２４に示す略平面位置に戻すように付勢する。
【００３４】
図２４に示すように、カバー１１０は、座部の後部１０６および座部の前部１０８にわたって延びてもよい。 
一実施形態では、カバー１１０は、座部の後部１０６の後縁１２８と、座部の前部１０８の前縁１６とに固定的に取り付けられる。一対のばね１５２は、前縁１６で座部の後部１０６とカバー１１０との間に取り付けられる。ばね１５２は、座部の前部１０８を、座部の前部１０８および座部の後部１０６が互いに嵌合する位置に後方へ付勢するように作用する。この位置では、座部の前部１０８のカバー１１０および前縁１６は、座部の前部１０８の下に巻くように下方へ包まれる。座部の前部１０８に取り付けられた一対のパドル１５４を、ばね１５２の力に抗してアシストばね１４７の支援によって、前縁１６を引いて座部の前部１０８の巻きを取るようにユーザが把持してもよい。座部の前部１０８のカール取りは、シート支持部１４の有効長さを伸ばす。従来の係止手段は、ユーザが前縁１６を任意の所望の位置、あるいは複数の個別の位置のうちの１つに係止することを可能にするように提供されてもよい。
【００３５】
図２６Ａ、図２６Ｂは、事務用椅子１０のための位置調節可能な前縁１６の第２実施形態を示している。先述の実施形態と同様に、この実施形態では、事務用椅子１０は、（前縁１６を含む）可動部および固定部を有するシート支持部１４を含む。
この固定部は、先述の実施形態の固定台１０４と類似の固定台２０４を含む。固定台２０４は、中央開口部２０８を画定する中央構造２０６を含む。前述の実施形態のように、一対のウイング部２１０は、中央構造２０６の両側から延びている。前述の実施形態とは異なって、この実施形態では、後部座部２１２は、その他の場所に取り付けることもできるが、ウイング部２１０に固定的に取り付けられる。
【００３６】
図２６Ａ、図２６Ｂに示すように、座部１４の前部２１４は、座部１４の前部２１４の前縁１６の両方にヒンジ式で取り付けられた略水平のプレート２１５および角度付きプレート２１６を含む。特に、角度付きプレート２１６は、座部１４の前部２１４の前縁１６でカバー４２にヒンジ式で取り付けられる。図２７を参照して、水平のプレート２１５は、前縁１６付近に位置決めされた横材２２０によって接続される一対のサイドレール２１８を含む。サイドレール２１８は、固定台２０４と座部１４の後部２１２との間に作られる開口部内で、座部１４の後部２１２の下に後方に延びる。
【００３７】
横材２２０は、概して剛性であり、ユーザが把持するために外側に延びる少なくとも１つのパドル２２２を含む。 
角度付きプレート２１６の一方端は、ヒンジ２２４によって横材２２０に取り付けられる。角度付きプレート２１６の他方端は、ヒンジ２２６によってカバー４２に取り付けられる。これにより、角度付きプレート２１６は、角度付きプレート２１６がカバー４２および座部１４の前部２１４の前縁１６を一般的拡張位置に支持する図２７に示す拡張位置と、角度付きプレート２１６が下方に枢動し、かつ座部１４の前部２１４の前縁１６を座部１４の後部２１２の下に下方にカールさせる図２６Ｂに示す角度位置との間で枢動することができる。ばね２２７は、角度付きプレート２１６の前部でファスナ２３０に取り付けられ、かつ、横材２２０から延びるタブ２３２に取り付けられる。ばね２２６は、角度付きプレート２１６、ひいては、その角度位置にある椅子の前縁１６を付勢するように作用する。
【００３８】
水平のプレート２１５のサイドレール２１８は、図２７に示すように、固定台２０４に取り付けられたローラ２３５上で支持される。図２７は、後方の視点から見た固定台２０４と座部１４との間の空間を示している。水平のプレート２１５は、プレート２１５が背もたれ１２のより近くに位置決めされる退避位置と、水平のプレート２１５が背もたれ１２からより離れて位置決めされる拡張位置との間で移動可能である。
一実施形態では、プレート２１５および角度付きプレート２１６は、ユーザがパドル２２２を引くかあるいは後退させるときに共に移動する。例えば、ユーザがパドル２２２を外向きに引いて前縁１６を延ばすと、プレート２１５は、ローラ２３５上の背もたれ１２から離れて移動する一方で、角度付きプレート２１６もまた、前縁１６のカールを強制的に取って前縁１６を延ばすように拡張位置へ枢動する。ユーザがパドル２２２を後退させると、角度付きプレート２１６が退避位置へ枢動しているときに、プレート２１５は、ローラ２３５上で強制的に後方へ移動させられる。
一実施形態では、一般的に従来の係止機構は、ユーザが前縁１６を所望の位置に係止することを可能にするように含まれる。 
【００３９】
「垂直」、「水平」、「上」、「下」、「上方」、「下方」、「内側」、「内向き」、「外側」および「外向き」などの方向を示す用語は、図示の実施形態の方向に基づいて、本発明の説明に役立つように使用される。方向を示す用語の使用は、本発明を任意の特定の方向に限定するものと解釈されるべきではない。
【００４０】
上述の説明は本発明の現在の実施形態を説明するものである。様々な改変および変更を、均等論を含む特許法の原理に従って解釈される、添付の特許請求の範囲で定義した本発明の精神および広範な局面から逸脱することなく行うことができる。本開示は、例示の目的のために提示され、本発明の全ての実施形態の包括的な説明として、あるいは、これらの実施形態に関連して図示または説明した特定の要素に対する特許請求の範囲を制限するものと解釈されるべきではない。例えば、限定することなく、記載された本発明の任意の個々の要素を、実質的に同様の機能を提供するか、そうでなければ適切な動作を提供する代替的な要素によって置き換えることができる。これは、例えば、当該技術分野において当業者に知られている可能性のある現在公知の代替要素、および、開発時に当業者が代替要素として認識する可能性のある将来開発され得る代替要素を含む。さらに、開示の実施形態は、同時に記載され、かつ、利点の集合を協調的に提供する可能性のある複数の特徴を含む。本発明は、既に発行された特許請求の範囲に明示的に記載される場合を除き、これらの特徴の全てを含むか、あるいは記載の利点の全てを提供する実施形態のみに限定されない。例えば、冠詞「ａ」、「ａｎ」、「ｔｈｅ」または「前記」を用いた請求項の構成要素に対する任意の参照は、要素を単数に限定するものとして解釈されるべきではない。
【産業上の利用可能性】
【００４１】
この発明に係る事務用椅子は、各種の椅子に適用可能である。 
【符号の説明】
【００４２】
１０  事務用椅子 
１２  背もたれ 
１４  シート支持部 
１８  直立支柱 
２０  椅子枠 
２１  支持アーム 
２２  アームレスアッセンブリ 
２６  下部横材 
２７  周辺枠 
２８  脚部 
２９  スライド部 
３０  ウェブ 
３１  上部横材 
３９  腰部 
４２  カバー 
４８  背面 
６０  角度ブロック 
６２  ランバーサポート機構 
６５  腰パッド 
１０４  固定台 
１０６  座部の後部 
１０８  座部の前部 
【手続補正２】
【補正対象書類名】図面
【補正対象項目名】全図
【補正方法】変更
【補正の内容】
【図１】
2016512738.tif 000001
【図１Ａ】
2016512738.tif 000002
【図２】
2016512738.tif 000003
【図３】
2016512738.tif 000004
【図４】
2016512738.tif 000005
【図５】
2016512738.tif 000006
【図６Ａ】
2016512738.tif 000007
【図６Ｂ】
2016512738.tif 000008
【図６Ｃ】
2016512738.tif 000009
【図７】
2016512738.tif 000010
【図８Ａ】
2016512738.tif 000011
【図８Ｂ】
2016512738.tif 000012
【図９】
2016512738.tif 000013
【図１０】
2016512738.tif 000014
【図１１】
2016512738.tif 000015
【図１２】
2016512738.tif 000016
【図１３Ａ】
2016512738.tif 000017
【図１３Ｂ】
2016512738.tif 000018
【図１４】
2016512738.tif 000019
【図１５】
2016512738.tif 000020
【図１６】
2016512738.tif 000021
【図１７】
2016512738.tif 000022
【図１８】
2016512738.tif 000023
【図１９Ａ】
2016512738.tif 000024
【図１９Ｂ】
2016512738.tif 000025
【図２０】
2016512738.tif 000026
【図２１】
2016512738.tif 000027
【図２２】
2016512738.tif 000028
【図２３】
2016512738.tif 000029
【図２４】
2016512738.tif 000030
【図２５】
2016512738.tif 000031
【図２６Ａ】
2016512738.tif 000032
【図２６Ｂ】
2016512738.tif 000033
【図２７】
2016512738.tif 000034